(57)【要約】【課題】日除けカーテンの固定構造を提供する。【解決手段】日除けカーテンの所定形態に結合し、且つ適切な柔軟性を有する環状の鉄フレームの周辺部に適当間隔おきに設けられている複数の磁性吸着素子を備えている日除けカーテンの固定構造は、日除けカーテンが鉄製／またはプラスチック製の車窓枠に応じて位置付けを行うように、日除けカーテンの周辺部に設けられている複数の磁性吸着素子のいずれをも車窓枠の内側層の一面／または相応方位にある挟み具同士間の金属部に吸着させるようとし、日除けカーテンの位置付けを迅速且つ容易に行える、または、不使用時には、車窓枠の内側層の一面より簡単に取り外すことを可能とする。【選択図】図１
0003175509.tif 000002
【実用新案登録請求の範囲】
【請求項１】
日除けカーテンの所定形態に結合し、
且つ適切な柔軟性を有する環状の鉄フレームの周辺部に適当間隔おきに設けられている複数の磁性吸着素子を備えている日除けカーテンの固定構造であって、
日除けカーテンが鉄製の車窓枠に応じて位置付けを行うことにより、
日除けカーテンの周辺部に設けられている複数の磁性吸着素子のいずれもが車窓枠の内側層の一面に吸着させようとし、
日除けカーテンの位置付けを迅速且つ容易に行える、
または、不使用時には、車窓枠の内側層の一面より簡単に取り外すことを可能とすることを特徴とする、
日除けカーテンの固定構造。
【請求項２】
日除けカーテンの所定形態に結合し、且つ適切な柔軟性を有する環状の鉄フレームの上下部位に設けられている複数の磁性吸着素子を備えている日除けカーテンの固定構造であって、プラスチック製の車窓枠の内側の周辺部の上下所定位置に沿って、作用側に複数の凹み溝が形成された挟み具と結合して、各挟み具の凹み溝同士の間に、金属部を覆設し、日除けカーテンがプラスチック製の車窓枠に応じて位置付けを行うことにより、日除けカーテンの上下部位に設けられている複数の磁性吸着素子のいずれもが車窓枠の相応位置に結合した挟み具の凹み溝に対応するように嵌着させるとともに、磁性吸着素子により各挟み具の間の金属部と吸着して位置付けさせるようにし、日除けカーテンを使用時には、簡単且つ便利な操作で迅速に位置付けすることを可能とし、不使用時には、直接に抜き出せることを特徴とする、日除けカーテンの固定構造。
【請求項３】
プラスチック製の車窓枠の内側の周辺部の前記上下所定位置に結合した前記挟み具の裏面には、プラスチック製の車窓枠の所定方位に接着固定されるための両面テープを覆設していることを特徴とする、請求項２記載の日除けカーテンの固定構造。
【請求項４】
挟み具の凹み溝同士の間に覆設している前記金属部は、鉄材質からなることを特徴とする、請求項２記載の日除けカーテンの固定構造。
【考案の詳細な説明】
【技術分野】
【０００１】
本考案は、日除けカーテンの固定構造に関し、特に、太陽光の直接照射を遮る日除けカーテンを使用する際、日除けカーテンの周辺部に覆われた複数の磁性吸着素子によって、車窓枠の内側層の片面へ迅速且つ容易に吸着固定させ、使用上、日除けカーテンを固定及び取り外しのいずれをも便利に行える日除けカーテンの固定構造に関する。
【背景技術】
【０００２】
近年では、乗用車などの車両には、強い日差しを遮断したり、車内において仮眠をしたり、着替えをしたりする等の目的で、日除けカーテンを利用する。その形態は、以下の方式に分けられる。
【０００３】
イ、日除けカーテンを複数の吸盤による吸着方式で所定方位の車窓に位置付け方式、
ロ、日除けカーテンを静電気による吸着方式で所定方位の車窓に位置付け方式、
ハ、周辺部に延在される複数の突起部が、車窓の所定方位にある凹溝部材に合わせて係合する方式、
などが挙げられる。
【０００４】
上記の方式は、使用上、日除けカーテンを迅速に位置付け及び容易に取り外しことを可能とするものである。
【考案の概要】
【考案が解決しようとする課題】
【０００５】
本考案は、車内に直射してくる日光を遮断するための既存日除けカーテンの取付けまたは取り外しを行う時に存在する不便に対してさらなる改善を行い、日除けカーテンを使用時には、周辺部に覆われた複数の磁性吸着素子により車窓枠の内側層の一面に吸着させるようとし、使用上、日除けカーテンの位置付けを容易に行え、取付けまたは取り外しを簡単に行える。
【課題を解決するための手段】
【０００６】
本考案の第１の主目的は、日除けカーテンの所定形態に結合し、且つ適切な柔軟性を有する環状の鉄フレームの周辺部に適当間隔おきに設けられている複数の磁性吸着素子を備えている日除けカーテンの固定構造を提供することにあり、具体的には、日除けカーテンが鉄製の車窓枠に応じて位置付けを行うことにより、日除けカーテンの周辺部に設けられている複数の磁性吸着素子のいずれをも車窓枠の内側層の一面に対応するように吸着させるようとすることから、日除けカーテンの位置付けを迅速且つ容易に行えるほか、不使用時には、車窓枠の内側層の一面より簡単に取り外すことができる日除けカーテンの固定構造を提供することにある。
【０００７】
本考案の第２の主目的は、日除けカーテンの所定形態に結合し、かつ適切な柔軟性を有する環状の鉄フレームの上下位置に設けられている複数の磁性吸着素子を備えている日除けカーテンの固定構造を提供することにあり、具体的には、プラスチック製の車窓枠の内側の周辺部の上下所定位置に沿いて、作用側に複数の凹み溝が形成された挟み具と結合して、各挟み具の凹み溝同士の間に、金属部を覆設し、日除けカーテンがプラスチック製の車窓枠に応じて位置付けを行うことにより、日除けカーテンの上下部位に設けられている複数の吸着素子のいずれをも車窓枠の相応位置に結合した挟み具の凹み溝に対応するように嵌着させるとともに、磁性吸着素子により各挟み具の間の金属部と吸着して位置付けさせるようとし、日除けカーテンを使用時には、簡単且つ便利な操作で迅速に位置付けを達成でき、不使用時には、直接に抜き出すことができる日除けカーテンの固定構造を提供することにある。
【０００８】
本考案の第３目的は、プラスチック製の車窓枠の内側の周辺部の上下所定位置に結合した挟み具の裏面には、プラスチック製の車窓枠の所定方位に接着固定されるための両面テープを覆設していることを特徴とする、日除けカーテンの固定構造を提供することにある。
【図面の簡単な説明】
【０００９】
【図１】本考案の日除けカーテンの実施例１を部分的に取り外した態様図である。
【図２】本考案の日除けカーテンの実施例１が位置付けられる前の態様図である。
【図３】本考案の日除けカーテンの実施例１が車窓枠に位置付けられた態様図である。
【図４】図３の横方向断面の上面図である。
【図５】本考案の日除けカーテンの実施例２を部分的に取り外した態様図である。
【図６】本考案の日除けカーテンの実施例２が位置付けられる前の態様図である。
【図７】図６の日除けカーテンを車窓枠に位置付けする場合、第１の手順を示す図である。
【図８】図６の日除けカーテンの縦方向断面の側面図である。
【図９】本考案の日除けカーテンの実施例２が車窓枠に位置付けられた態様図である。
【考案を実施するための形態】
【００１０】
以下、図面を参照しながら本考案の実施例について説明する。
【実施例１】
【００１１】
図１に示すように、本考案に係る日除けカーテンの固定構造の実施例１は、日除けカーテン（２）の所定の形態に結合し、且つ適切な柔軟性を有する環状の鉄フレーム（１）の周辺部に適当間隔おきに設けられている複数の磁性吸着素子（３）（当該磁性吸着素子は、環状の鉄フレームと外層の日除けカーテンとの間に位置していて、且つ複数の磁性吸着素子が設けられた環状の鉄フレームの相応位置は、凹部に形成され、すべての磁性吸着素子と結合した後に、環状の鉄フレームの外縁部と平らな表面を形成することができるようにする）を備えており、日除けカーテン（２）が鉄製の車窓枠（４）に応じて位置付けを行うことにより（図２参照）、日除けカーテン（２）の周辺部に設けられているすべての磁性吸着素子（３）のいずれをも鉄製の車窓枠（４）の内側層の一面に対応するように吸着させようとし（図３、図４参照）日除けカーテン（２）の日除けカーテン（６）の上下部位を直接に時には、迅速且つ容易に行える、または、不使用時には、車窓枠（４）の内側層の一面より簡単に取り外して収納することができる。
【実施例２】
【００１２】
図５に示すように、本考案に係る日除けカーテンの固定構造の実施例２は、日除けカーテン（６）の所定形態と結合し、且つ適切な柔軟性を有する環状の鉄フレーム（５の上下位置に設けられている複数の磁性吸着素子（７）（本実施例において、複数の磁性吸着素子が設けられた環状の鉄フレームの相応位置は、凹部に形成され、すべての磁性吸着素子と結合した後に、環状の鉄フレームの外縁部と平らな表面を形成することができるようにする）を備えており、さらに、プラスチック製の車窓枠（８）の内側の周辺部の上下所定位置に沿いて、作用側に複数の凹み溝（９１）が形成された挟み具（９）（図６、図７参照）と結合して、各挟み具（９）の凹み溝（９１）同士の間に、金属部（９２）（本実施例において、金属部は鉄材質からなる）を覆設し、挟み具（９）の裏面には両面テープ（９３）を覆設しており、プラスチック製の車窓枠（８）の所定方位に容易に接着固定できるようにする（挟み具の裏面とプラスチック製の車窓枠の方位との結合は、他の方式により実施してもよい）。
【００１３】
上述した日除けカーテン（６）をプラスチック製の車窓枠（８）に応じて位置付けを行うことについては（図６参照）、日除けカーテン（６）の上下部位にあるすべての磁性吸着素子（７）をプラスチック製の車窓枠（８）の相応位置に結合した挟み具（９）の凹み溝（９１）（図７参照）に対応するように嵌着させるとともに、磁性吸着素子（７）により各挟み具（９）の間の金属部（９２）と吸着し定置付けさせることようとし（図８参照）、日除けカーテン６を使用時には、簡単且つ便利な操作で迅速に位置付けすること（図９参照）を達成でき、且つ不使用時には、プラスチック製の車窓枠８に対応する各挟み具９の凹み溝９１より日除けカーテン（６）の上下部位を直接に抜き出しすれば、取り外しすることが容易にできる。
【符号の説明】
【００１４】
１、５：環状の鉄フレーム
２、６：日除けカーテン
３、７：磁性吸着素子
４、８：車窓枠
９：挟み具
９１：凹み溝
９２：金属部
９３：両面テープ
【図１】
0003175509.tif 000003
【図２】
0003175509.tif 000004
【図３】
0003175509.tif 000005
【図４】
0003175509.tif 000006
【図５】
0003175509.tif 000007
【図６】
0003175509.tif 000008
【図７】
0003175509.tif 000009
【図８】
0003175509.tif 000010
【図９】
0003175509.tif 000011